(57)【要約】【課題】１つの電力系統図が複数の系統図情報に変換された場合に、当該複数の系統図情報を結合した系統図情報の作成に要する電力系統監視制御装置の管理者の作業負担を軽減する。【解決手段】実施形態の電力系統図作成装置は、読取部と、変換部と、検出部と、作成部と、を備える。読取部は、記録媒体に記録された電力系統図を読み取る。変換部は、読み取った電力系統図を、ベクトル形式の電子データに変換するとともに、電力系統設備毎のシンボルを含むシンボル定義情報に基づいて、電子データが含むシンボルが表す電力系統設備を特定する。検出部は、電子データが含むテキストに基づいて、電子データが含む電力系統設備のシンボルのうち母線のシンボルの連系点を検出する。作成部は、一方の電子データから検出された連系点と、当該一方の電子データとは異なる他方の電子データから検出された連系点とを接続して、一方の電子データと他方の電子データとを結合した新たな電子データを作成する。【選択図】図１
2018137957.tif 000002
【特許請求の範囲】
【請求項１】
記録媒体に記録された電力系統図を読み取る読取部と、
読み取った前記電力系統図を、ベクトル形式の電子データに変換するとともに、電力系統設備毎のシンボルを含むシンボル定義情報に基づいて、前記電子データが含むシンボルが表す電力系統設備を特定する変換部と、
前記電子データが含むテキストに基づいて、前記電子データが含む電力系統設備の前記シンボルのうち母線の前記シンボルの連系点を検出する検出部と、
一方の前記電子データから検出された前記連系点と、当該一方の電子データとは異なる他方の前記電子データから検出された前記連系点とを接続して、前記一方の電子データと前記他方の電子データとを結合した新たな電子データを作成する作成部と、
を備えた電力系統図作成装置。
【請求項２】
前記作成部は、さらに、前記シンボルおよび前記テキストの少なくとも一方の編集指示に応じて、前記電子データが含む前記シンボルおよび前記テキストの少なくとも一方を編集する請求項１に記載の電力系統図作成装置。
【請求項３】
前記作成部は、さらに、修正前の前記電力系統図から変換した先の前記電子データと、修正後の前記電力系統図から変換した後の前記電子データとの差分を検出し、当該検出した差分に従って、前記先の電子データを編集する請求項１または２に記載の電力系統図作成装置。
【請求項４】
編集前の前記電子データと編集後の前記電子データとの差分情報を記憶する記憶部をさらに備え、
前記作成部は、前記記憶部に記憶された前記差分情報に従って、編集後の前記電子データまたは編集前の前記電子データを切り替えて出力する請求項２または３に記載の電力系統図作成装置。
【請求項５】
コンピュータを、
記録媒体から読み取った電力系統図を、ベクトル形式の電子データに変換するとともに、電力系統設備毎のシンボルを含むシンボル定義情報に基づいて、前記電子データが含むシンボルが表す電力系統設備を特定する変換部と、
前記電子データが含むテキストに基づいて、前記電子データが含む電力系統設備の前記シンボルのうち母線の前記シンボルの連系点を検出する検出部と、
一方の前記電子データから検出された前記連系点と、当該一方の電子データとは異なる他方の前記電子データから検出された前記連系点とを接続して、前記一方の電子データと前記他方の電子データとを結合した新たな電子データを作成する作成部と、
として機能させるためのプログラム。
【発明の詳細な説明】
【技術分野】
【０００１】
本発明の実施形態は、電力系統図作成装置およびプログラムに関する。
【背景技術】
【０００２】
電力会社では、電力系統図を紙面で保管してきた経緯があり、現在でも、電力系統図を紙面でやり取りしている場合がある。電力系統図は、電力系統を制御する電力系統監視制御システムが有する表示画面への電力系統図の表示にも使用される。この場合、電力系統監視制御システムの管理者が、描画ツール等を使用して、ベクトル形式の電力系統図を作成している。
【先行技術文献】
【特許文献】
【０００３】
【特許文献１】特開２０１５−１９４７９２号公報
【特許文献２】特開２０１４−６４４２６号公報
【特許文献３】特開２０１６−２１１０１号公報
【発明の概要】
【発明が解決しようとする課題】
【０００４】
しかしながら、描画ツール等を使用して、ベクトル形式の電力系統図を作成する場合、電力系統監視制御システムの管理者が、紙面の電力系統図を見ながら、手動で、当該電力系統図に含まれる電力系統設備等の素子を描画する必要があるため、ベクトル形式の電力系統図を完成させるまでに多くの時間がかかると共に、紙面の電力系統図とは異なる誤ったベクトル形式の電力系統図を作成する可能性がある。
【課題を解決するための手段】
【０００５】
実施形態の電力系統図作成装置は、読取部と、変換部と、検出部と、作成部と、を備える。読取部は、記録媒体に記録された電力系統図を読み取る。変換部は、読み取った電力系統図を、ベクトル形式の電子データに変換するとともに、電力系統設備毎のシンボルを含むシンボル定義情報に基づいて、電子データが含むシンボルが表す電力系統設備を特定する。検出部は、電子データが含むテキストに基づいて、電子データが含む電力系統設備のシンボルのうち母線のシンボルの連系点を検出する。作成部は、一方の電子データから検出された連系点と、当該一方の電子データとは異なる他方の電子データから検出された連系点とを接続して、一方の電子データと他方の電子データとを結合した新たな電子データを作成する。
【図面の簡単な説明】
【０００６】
【図１】図１は、第１の実施形態にかかる電力系統監視制御装置の機能構成の一例を示す図である。
【図２】図２は、第１の実施形態にかかる電力系統監視制御装置による複数の系統図情報の結合処理の流れの一例を示す図である。
【図３】図３は、第１の実施形態にかかる電力系統監視制御装置による電力系統図の読取結果の一例を示す図である。
【図４】図４は、第１の実施形態にかかる電力系統監視制御装置による電力系統図の読取結果の一例を示す図である。
【図５】図５は、第１の実施形態にかかる電力系統監視制御装置において系統図情報が含むシンボルが表す電力系統設備の特定に用いるシンボル定義情報の一例を示す図である。
【図６】図６は、第１の実施形態にかかる電力系統監視制御装置による系統図情報の結合結果の一例を示す図である。
【図７】図７は、第２の実施形態にかかる電力系統監視制御装置による系統図情報の編集処理の流れの一例を示す図である。
【図８】図８は、第３の実施形態にかかる電力系統監視制御装置による系統図情報の出力処理の流れの一例を示す図である。
【発明を実施するための形態】
【０００７】
以下、添付の図面を用いて、本実施形態にかかる電力系統図作成装置およびプログラムを適用した電力系統監視制御装置について説明する。
【０００８】
（第１の実施形態）
図１は、第１の実施形態にかかる電力系統監視制御装置の機能構成の一例を示す図である。図１に示すように、本実施形態にかかる電力系統監視制御装置は、読取部１０１、ＤＢ作成ツール１０２、システムＤＢ１０３、およびシンボル設定入力部１０４を有する。読取部１０１は、紙面等の記録媒体に記録された電力系統図等の各種情報を読取可能である。ＤＢ作成ツール１０２は、読取部１０１により読み取られた電力系統図に基づいて、ベクトル形式の電力系統図を作成するツールである。本実施形態では、ＤＢ作成ツール１０２は、電力系統監視制御装置が有するＣＰＵ（Central  Processing  Unit）等のプロセッサがＲＯＭ（Read  Only  Memory）等の記憶媒体に記憶されたプログラムを実行することによって実現される。具体的には、ＤＢ作成ツール１０２は、系統図作成機能部１０２ａ、および系統図修正管理機能部１０２ｂを有する。
【０００９】
系統図作成機能部１０２ａ（変換部の一例）は、読取部１０１により読み取られた電力系統図を、ベクトル形式で表されるシンボルおよびテキストを含む系統図情報（電子データの一例）に変換する。また、系統図作成機能部１０２ａは、シンボル定義情報に基づいて、系統図情報が含むシンボルが表す電力系統設備を特定する。これにより、読取部１０１による電力系統図の読取結果に基づいて、電力系統の制御に使用可能なベクトル形式の系統図情報を自動作成することができるので、系統図情報の作成に要する時間を短縮でき、かつ電力系統図とは異なった系統図情報が作成される可能性を低くすることができる。ここで、シンボル定義情報は、電力系統設備毎のシンボルを含む情報である。
【００１０】
本実施形態では、系統図作成機能部１０２ａは、系統図情報が含む各シンボルについて、シンボル定義情報が表す電力系統設備毎のシンボルとの一致度（類似度）を求める。そして、系統図作成機能部１０２ａは、求めた一致度が最も高いシンボルが表す電力系統設備を、系統図情報が含むシンボルが表す電力系統設備として特定する。また、系統図作成機能部１０２ａは、系統図情報と、当該系統図情報が含む各シンボルと、当該シンボルについて特定された電力系統設備とを対応付けて、システムＤＢ１０３に保存する。
【００１１】
シンボル設定入力部１０４は、読取部１０１により読み取られた電力系統図に含まれるシンボルを、異なるシンボル（以下、スケルトンのシンボルと言う）に変換する場合、読み取られた電力系統図に含まれるシンボルのうち、スケルトンのシンボルに変換するシンボルと、当該スケルトンのシンボルとを対応付ける変換定義情報の入力を受け付ける。そして、系統図作成機能部１０２ａは、系統図情報に含まれるシンボルのうち、変換定義情報に含まれるシンボルと一致するシンボルを抽出し、抽出したシンボルを、変換定義情報において、当該抽出したシンボルと対応付けられたスケルトンのシンボルに変換する。
【００１２】
系統図修正管理機能部１０２ｂ（検出部の一例）は、１つの電力系統図が複数の系統図情報に変換された場合（言い換えると、１つの電力系統図の読取結果が、複数の電力系統図にまたがっている場合）、系統図情報が含むテキストに基づいて、複数の系統図情報それぞれが含む電力系統設備のシンボルのうち母線のシンボルの連系点を検出する。本実施形態では、系統図修正管理機能部１０２ｂは、１つの電力系統図が複数の系統図情報に変換された場合、当該複数の系統図情報が含むテキストのうち母線の接続先を表すテキストに基づいて、連系点を検出する。
【００１３】
そして、系統図修正管理機能部１０２ｂ（作成部の一例）は、複数の系統図情報のうち一方の系統図情報から検出された連系点と、当該一方の系統図情報とは異なる他方の系統図情報から検出された連系点とを接続して、一方の系統図情報と他方の系統図情報とを結合した新たな系統図情報（以下、結合後系統図情報と言う）を作成する。これにより、１つの電力系統図が複数の系統図情報に変換された場合に、当該複数の系統図情報を結合した結合後系統図情報が自動的に作成されるので、１つの電力系統図が複数の系統図情報に変換された場合に、結合後系統図情報の作成に要する電力系統監視制御装置の管理者の作業負担を軽減できる。そして、系統図修正管理機能部１０２ｂは、作成した結合後系統図情報を、システムＤＢ１０３に保存する。
【００１４】
また、系統図修正管理機能部１０２ｂは、外部装置から、系統図情報の編集指示を取得すると、当該編集指示に応じて、系統図情報が含むシンボルおよびテキストの少なくとも一方に対して、削除，追加，修正等の編集を実行する。これにより、系統図情報を編集する場合に、修正した電力系統図を作成する必要がなくなるので、系統図情報の編集が容易になる。ここで、系統図修正管理機能部１０２ｂは、系統図情報が含むシンボルおよびテキストの少なくとも一方に対する削除，追加，修正等を指示する編集指示を取得する。そして、系統図修正管理機能部１０２ｂは、系統図情報が含むシンボルまたはテキストに対して編集を実行した場合、編集後の系統図情報に対応付けて、編集前の系統図情報と編集後の系統図情報との差分情報をシステムＤＢ１０３に保存する。また、系統図修正管理機能部１０２ｂは、系統図情報が含むシンボルに対して編集を実行した場合、編集後の系統図情報に基づいて、システムＤＢ１０３に記憶される、系統図情報が含むシンボルと、当該シンボルについて特定された電力系統設備との対応関係を変更する。
【００１５】
また、本実施形態では、電力系統監視制御装置は、系統図情報に含まれるシンボルの識別可能とするインデックス（例えば、シンボルの名称。以下、シンボルインデックスと言う）と、クライアントが付与した当該シンボルを識別可能とするインデックス（以下、クライアント側シンボルインデックスと言う）と、を対応付けるインデックステーブルを記憶する。そして、編集対象のシンボルのクライアント側シンボルインデックスを含む編集指示を取得した場合、系統図修正管理機能部１０２ｂは、インデックステーブルを参照して、取得した編集指示が含むクライアント側シンボルインデックスと対応付けられたシンボルインデックスを特定する。次いで、系統図修正管理機能部１０２ｂは、系統図情報に含まれるシンボルのうち、特定したシンボルインデックスにより識別されるシンボルに対して、削除，追加，修正等の編集を行う。
【００１６】
次に、図２を用いて、本実施形態にかかる電力系統監視制御装置による複数の系統図情報の結合処理について説明する。図２は、第１の実施形態にかかる電力系統監視制御装置による複数の系統図情報の結合処理の流れの一例を示す図である。
【００１７】
まず、読取部１０１が、記録媒体に記録された電力系統図を読み取る（ステップＳ２０１）。そして、読取部１０１は、電力系統図の読取結果を、ＤＢ作成ツール１０２に出力する（ステップＳ２０２）。
【００１８】
ＤＢ作成ツール１０２が有する系統図作成機能部１０２ａは、読取部１０１から、電力系統図の読取結果が入力されると、電力系統図の読取結果を、ベクトル形式で表される系統図情報に変換する（ステップＳ２０３）。次いで、系統図作成機能部１０２ａは、シンボル定義情報に基づいて、系統図情報が含むシンボルが表す電力系統設備を特定する（ステップＳ２０４）。
【００１９】
図３および図４は、第１の実施形態にかかる電力系統監視制御装置による電力系統図の読取結果の一例を示す図である。図５は、第１の実施形態にかかる電力系統監視制御装置において系統図情報が含むシンボルが表す電力系統設備の特定に用いるシンボル定義情報の一例を示す図である。読取部１０１は、通常、変電所毎の電力系統図を読み取る。次いで、系統図作成機能部１０２ａは、読み取った電力系統図（図３および図４参照）をベクトル形式の系統図情報に変換する。さらに、系統図作成機能部１０２ａは、シンボル定義情報に基づいて、ベクトル形式の系統図情報が含むシンボルが表す電力系統設備を特定する。
【００２０】
本実施形態では、シンボル定義情報は、図５に示すように、電力系統設備（例えば、遮断器ＣＢ、スイッチＳＷ、母線Ｌ、トランスＴＲ）毎のシンボルを含む情報である。系統図作成機能部１０２ａは、シンボル定義情報が含む各シンボルと、ベクトル形式の系統図情報が含むシンボルとの一致度を求める。そして、系統図作成機能部１０２ａは、シンボル定義情報が含む各シンボルのうち、系統図情報が含むシンボルとの一致度が最も高いシンボルが表す電力系統設備を、当該系統図情報が含むシンボルが表す電力系統設備として特定する。系統図作成機能部１０２ａは、系統図情報が含む全てのシンボルについて、上記の処理を繰り返して、系統図情報が含む全てのシンボルが表す電力系統設備を特定する。
【００２１】
また、本実施形態では、系統図作成機能部１０２ａは、系統図情報においてシンボルの近傍に位置するテキストを、当該シンボルの名称（シンボル名）として特定する。例えば、系統図作成機能部１０２ａは、図３に示すように、遮断器のシンボルＣＢ１の近傍に位置するテキスト「Ｑ５２０１」を、当該シンボルＣＢ１のシンボル名として特定する。系統図作成機能部１０２ａは、他のシンボル（遮断器のシンボルＣＢ２，ＣＢ３，ＣＢ４，ＣＢ５，ＣＢ６、スイッチのシンボルＳＷ１，ＳＷ２，ＳＷ３，ＳＷ４，ＳＷ５，ＳＷ６，ＳＷ７，ＳＷ８，ＳＷ９，ＳＷ１０、トランスのシンボルＴＲ１，ＴＲ２、および母線のシンボルＬ１，Ｌ２）についても、同様にして、シンボル名を特定する。さらに、本実施形態では、系統図作成機能部１０２ａは、図３に示すように、系統図情報が含むテキストのうち、当該系統図情報の中央かつ上部に位置するテキスト「ＡＯＯＯＯ変電所」を、系統図情報が表す電力系統が設けられた変電所の名称（変電所名）として検出する。系統図作成機能部１０２ａは、図４に示す系統図情報についても、同様にして、当該系統図情報が含むシンボルのシンボル名の特定、および当該系統図情報が含む変電所名を検出する。
【００２２】
図２に戻り、系統図修正管理機能部１０２ｂは、外部装置から編集指示を取得すると、当該編集指示に応じて、系統図情報が含むシンボルまたはテキストに対して、削除，追加，修正等の編集を実行する（ステップＳ２０５）。また、系統図修正管理機能部１０２ｂは、１つの電力系統図が複数の系統図情報に変換された場合（言い換えると、１つの電力系統図の読取結果が、複数の電力系統図にまたがっている場合）、当該複数の系統図情報それぞれが含む連系点を検出する。次に、系統図修正管理機能部１０２ｂは、複数の系統図情報が含むテキストに基づいて、当該複数の系統図情報のうち、一方の系統図情報から検出された連系点と、当該一方の系統図情報とは異なる他方の系統図情報から検出された連系点とを線等の新たなシンボルで接続して、当該一方の系統図情報と当該他方の系統図情報とを結合した結合後系統図情報を作成する（ステップＳ２０６）。
【００２３】
図６は、第１の実施形態にかかる電力系統監視制御装置による系統図情報の結合結果の一例を示す図である。本実施形態では、系統図修正管理機能部１０２ｂは、系統図情報が含むシンボルのうち母線の接続先を表すテキスト（例えば、図３に示すテキスト「Ｂ００００変電所の母線Ｌ１」および「Ｂ００００変電所の母線Ｌ２」、図４に示すテキスト「Ａ００００変電所の母線Ｌ１」および「Ａ００００変電所の母線Ｌ２」）を抽出する。次いで、系統図修正管理機能部１０２ｂは、図３および図４に示すように、抽出したテキストの近傍に位置しかつ母線と特定されたシンボルＬ１，Ｌ２の端を、他の変電所の母線との連系点Ｐ１，Ｐ２として検出する。
【００２４】
その後、図６に示すように、系統図修正管理機能部１０２ｂは、抽出したテキストに基づいて、一方の系統図情報（図３に示す系統図情報）から検出された連系点Ｐ１，Ｐ２と、他方の系統図情報（図４に示す系統図情報）から検出された連系点Ｐ１，Ｐ２と、を線で接続して、当該一方の系統図情報と当該他方の系統図情報とを結合した結合後系統図情報を作成する。具体的には、系統図修正管理機能部１０２ｂは、図６に示すように、図３に示す系統図情報が含む連系点Ｐ１と図４に示す系統図情報が含む連系点Ｐ１とを線ｌ１で接続し、図３に示す系統図情報が含む連系点Ｐ２と図４に示す系統図情報が含む連系点Ｐ２とを線ｌ２で接続した結合後系統図情報を作成する。本実施形態では、系統図修正管理機能部１０２ｂは、一方の系統図情報が含む連系点と他方の系統図情報が含む連系点とを線で接続して結合後系統図情報を作成しているが、これに限定するものではなく、例えば、一方の系統図情報が含む連系点と、他方の系統図情報が含む連系点とを直接接続して、結合後系統図情報を作成しても良い。
【００２５】
図２に戻り、系統図修正管理機能部１０２ｂは、１つの電力系統図の読取結果が複数の電力系統図にまたがっていた場合、作成した結合後系統図情報をシステムＤＢ１０３に保存する（ステップＳ２０７）。また、系統図修正管理機能部１０２ｂは、１つの電力系統図の読取結果が複数の電力系統図にまたがっておらず、かつ系統図作成機能部１０２ａによりベクトル形式に変換された系統図情報に対して編集が実行されなかった場合、系統図作成機能部１０２ａによりベクトル形式に変換された系統図情報をそのままシステムＤＢ１０３に保存する。また、系統図修正管理機能部１０２ｂは、系統図情報に対して編集を実行した場合、編集後の系統図情報、および差分情報をシステムＤＢ１０３に保存する。
【００２６】
このように、第１の実施形態にかかる電力系統監視制御装置によれば、１つの電力系統図が複数の系統図情報に変換された場合に、当該複数の系統図情報を結合した結合後系統図情報が自動的に作成されるので、１つの電力系統図が複数の系統図情報に変換された場合に、結合後系統図情報の作成に要する電力系統監視制御装置の管理者の作業負担を軽減できる。
【００２７】
（第２の実施形態）
本実施形態は、修正前の電力系統図から変換された先の系統図情報と、修正後の電力系統図から変換された後の系統図情報との差分を検出し、当該検出した差分に従って、先の系統図情報を編集する例である。以下の説明では、第１の実施形態と同様の構成については説明を省略する。
【００２８】
図７は、第２の実施形態にかかる電力系統監視制御装置による系統図情報の編集処理の流れの一例を示す図である。本実施形態では、電力系統監視制御装置が有する操作部から、修正後の電力系統図の読取指示が入力されると、読取部１０１は、修正後の電力系統図を読み取る（ステップＳ７０１）。そして、読取部１０１は、修正後の電力系統図の読取結果を、ＤＢ作成ツール１０２に出力する（ステップＳ７０２）。
【００２９】
ＤＢ作成ツール１０２が有する系統図作成機能部１０２ａは、読取部１０１から、修正後の電力系統図の読取結果が入力されると、修正後の電力系統図の読取結果を、ベクトル形式の系統図情報（以下、後の系統図情報と言う）に変換する（ステップＳ７０３）。次いで、系統図作成機能部１０２ａは、シンボル定義情報に基づいて、後の系統図情報が含むシンボルが表す電力系統設備を特定する（ステップＳ７０４）。
【００３０】
次に、系統図修正管理機能部１０２ｂは、後の系統図情報が含むテキストのうち変電所名、当該後の系統図情報が含む各シンボルについて特定された電力系統設備、および当該後の系統図情報が含むシンボルのうち電力系統設備として特定されたシンボルの数の少なくとも１つに基づいて、システムＤＢ１０３から、修正前の電力系統図から変換された系統図情報（以下、先の系統図情報と言う）を読み出す（ステップＳ７０５）。また、系統図修正管理機能部１０２ｂは、読み出した先の系統図情報と、後の系統図情報との差分を検出する。そして、系統図修正管理機能部１０２ｂは、検出した差分に基づいて、読み出した先の系統図情報を編集する（ステップＳ７０６）。その後、系統図修正管理機能部１０２ｂは、編集後の先の系統図情報に対応付けて、編集前の先の系統図情報と編集後の先の系統図情報との差分情報を、システムＤＢ１０３に保存する。
【００３１】
このように、第２の実施形態にかかる電力系統監視制御装置によれば、電力系統図に対して修正を行った場合に、修正後の電力系統図を読取部１０１に読み取らせるだけで、系統図情報を修正することが可能となるので、系統図情報の修正を容易に行うことができる。
【００３２】
（第３の実施形態）
本実施形態は、システムＤＢ１０３に記憶された差分情報に従って、編集後の系統図情報または編集前の系統図情報を切り替えて出力する例である。以下の説明では、第２の実施形態と同様の構成については説明を省略する。
【００３３】
図８は、第３の実施形態にかかる電力系統監視制御装置による系統図情報の出力処理の流れの一例を示す図である。本実施形態では、系統図修正管理機能部１０２ｂは、電力系統監視制御装置が有する操作部から、編集前の電力系統図の出力指示が入力されると、システムＤＢ１０３から、編集後の系統図情報と、当該系統図情報と対応付けて記憶される差分情報とを読み出す（ステップＳ８０１）。そして、系統図修正管理機能部１０２ｂは、読み出した編集後の系統図情報および差分情報に基づいて、編集前の系統図情報を復元する（ステップＳ８０２）。そして、系統図修正管理機能部１０２ｂは、復元した編集前の系統図情報を出力する（ステップＳ８０３）。また、系統図修正管理機能部１０２ｂは、外部装置から取得する編集指示に応じて、復元した系統図情報を、編集後の系統図情報に戻すことも可能である。さらに、系統図修正管理機能部１０２ｂは、復元した系統図情報（つまり、編集前の系統図情報）と、読み出した差分情報とを対応付けてシステムＤＢ１０３に保存する。
【００３４】
その後、電力系統監視制御装置が有する操作部から、編集後の電力系統図の出力指示が入力されると、系統図修正管理機能部１０２ｂは、システムＤＢ１０３から、編集前の系統図情報と、当該系統図情報と対応付けて記憶される差分情報とを読み出す。そして、系統図修正管理機能部１０２ｂは、読み出した編集前の系統図情報および差分情報に基づいて、編集後の系統図情報を復元する。そして、系統図修正管理機能部１０２ｂは、復元した編集前の系統図情報を出力する。
【００３５】
このように、第３の実施形態にかかる電力系統監視制御装置によれば、電力系統監視制御装置の管理者は、編集前の系統図情報または編集後の系統図情報の出力指示を入力するだけで、編集前の系統図情報および編集後の系統図情報を容易に確認できる。
【００３６】
以上説明したとおり、第１から第３の実施形態によれば、１つの電力系統図が複数の系統図情報に変換された場合に、当該複数の系統図情報を結合した結合後系統図情報が自動的に作成されるので、１つの電力系統図が複数の系統図情報に変換された場合に、結合後系統図情報の作成に要する電力系統監視制御装置の管理者の作業負担を軽減できる。
【００３７】
なお、本実施形態の電力系統監視制御装置で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成しても良い。
【００３８】
さらに、本実施形態の電力系統監視制御装置で実行されるプログラムを、インターネット等のネットワークに接続されたコンピュータ上に格納し、ネットワーク経由でダウンロードさせることにより提供するように構成しても良い。また、本実施形態の電力系統監視制御装置で実行されるプログラムをインターネット等のネットワーク経由で提供または配布するように構成しても良い。
【００３９】
本実施形態の電力系統監視制御装置で実行されるプログラムは、上述した各部（ＤＢ作成ツール１０２）を含むモジュール構成となっており、実際のハードウェアとしてはＣＰＵが上記ＲＯＭからプログラムを読み出して実行することにより上記各部が主記憶装置上にロードされ、ＤＢ作成ツール１０２が主記憶装置上に生成されるようになっている。
【００４０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
１０１  読取部
１０２  ＤＢ作成ツール
１０２ａ  系統図作成機能部
１０２ｂ  系統図修正管理機能部
１０３  システムＤＢ
１０４  シンボル設定入力部
【図１】
2018137957.tif 000003
【図２】
2018137957.tif 000004
【図３】
2018137957.tif 000005
【図４】
2018137957.tif 000006
【図５】
2018137957.tif 000007
【図６】
2018137957.tif 000008
【図７】
2018137957.tif 000009
【図８】
2018137957.tif 000010